(57)【要約】【課題】  カラー印刷は塗潰すがモノクロ印刷は塗潰さない、又は、カラー印刷を塗潰ししかもモノクロ印刷も塗潰す、を設定可能にする。【解決手段】  画像を表す第１ＲＧＢ画像データに基づいて該画像が複製を禁止されている特定画像か識別し、モノクロ画像の複製は許可する設定では、特定画像と識別した第１ＲＧＢ画像データのＲ画像データ又はＢ画像データを塗潰しレベルに変換し、モノクロ画像の複製も禁止する設定では、特定画像と識別した第１ＲＧＢ画像データのＧ画像データを塗潰しレベルに変換し、カラー画像出力をするカラーモードでは該変換をした画像データと他の画像データでなる第２ＲＧＢ画像データを印刷用のＣＭＹＫ画像データに変換し、モノクロ画像出力をするモノクロモードではＧ画像データを印刷用のＫ画像データに変換する。【選択図】  図１０
2010062602.tif 000002
【特許請求の範囲】
【請求項１】
画像を表す第１ＲＧＢ画像データに基づいて該画像が複製を禁止されている特定画像か識別し、モノクロ画像の複製は許可する設定では、特定画像と識別した第１ＲＧＢ画像データのＲ画像データ又はＢ画像データを塗潰しレベルに変換し、モノクロ画像の複製も禁止する設定では、特定画像と識別した第１ＲＧＢ画像データのＧ画像データを塗潰しレベルに変換し、カラー画像出力をするカラーモードでは該変換をした画像データと他の画像データでなる第２ＲＧＢ画像データを印刷用のＣＭＹＫ画像データに変換し、モノクロ画像出力をするモノクロモードではＧ画像データを印刷用のＫ画像データに変換する、画像の秘匿方法。
【請求項２】
原稿画像を読み取って第１ＲＧＢ画像データを生成する読取手段；
第１ＲＧＢ画像データが表す画像が複製を禁止されている特定画像か識別する判定手段；
モノクロ画像の複製は許可する設定では、特定画像と識別した第１ＲＧＢ画像データのＲ画像データ又はＢ画像データを塗潰しレベルに変換し、モノクロ画像の複製も禁止する設定では、特定画像と識別した第１ＲＧＢ画像データのＧ画像データを塗潰しレベルに変換する塗潰し手段；
カラー画像出力をするカラーモードでは該変換をした画像データと他の画像データでなる第２ＲＧＢ画像データを印刷用のＣＭＹＫ画像データに変換し、モノクロ画像出力をするモノクロモードではＧ画像データを印刷用のＫ画像データに変換する、色補正手段；および、
該色補正手段が変換した印刷用の画像データに基づいて用紙上に画像を形成する作像手段；
を備える画像形成装置。
【請求項３】
画像データを記憶する第１および第２記憶手段；および、
１つの原稿画像の、前記読取手段が生成する第１ＲＧＢ画像データを第１記憶手段に格納し、該１つの原稿画像の読取りが終了したとき、第１記憶手段に格納した第１ＲＧＢ画像データを第１記憶手段から読み出して、特定画像であると前記塗潰し手段で前記変換を行い、特定画像でないと該変換はしないで、圧縮して第２記憶手段に格納した後、第２記憶手段から読み出して伸張して前記色補正手段に与える制御手段；
を更に備える、請求項２に記載の画像形成装置。
【請求項４】
前記制御手段は、１つの原稿画像の、前記読取手段が生成する第１ＲＧＢ画像データを第１記憶手段に格納すると共に前記色補正手段で印刷用の画像データに変換して前記作像手段に与え、該１つの原稿画像の読取り中に前記判定手段が特定画像と識別すると前記色補正手段に与える画像データを、第１ＲＧＢ画像データから、前記塗潰し手段が前記変換をした画像データに切換える；請求項３に記載の画像形成装置。
【請求項５】
ユーザ入力に応じて、モノクロ画像の複製の許可又は禁止を定める設定手段；を更に備える請求項２乃至４のいずれか１つに記載の画像形成装置。
【請求項６】
前記塗潰し手段は、前記設定手段による設定が前記「許可」であるときには、ＲおよびＢ画像データの少なくとも一方を塗潰しレベルに変換し、前記「禁止」であるときには、Ｇ画像データを塗潰しレベルに変換する；請求項５に記載の画像形成装置。
【発明の詳細な説明】
【技術分野】
【０００１】
本発明は、画像の秘匿処理に関し、特に、これに限定する意図ではないが、スキャナあるいはデジカメなどの撮像手段によって生成される画像データが、複製が禁止された特定画像を現すものであると塗潰し処理を施す秘匿方法およびそれを実施する画像形成装置に関する。本発明は例えば、原稿スキャナ，パソコン，プリンタ，複写機，ファクシミリ等に実施できる。
【背景技術】
【０００２】
【特許文献１】特開２０００−２３２５７６号公報
【特許文献２】特開２００６−２６２３７６号公報
【特許文献３】特開２０００−１７５０３１号公報
【特許文献４】特開２００６−２８７７０７号公報。
【０００３】
例えば複写機において、紙幣や有価証券などの不正偽造防止を目的として、原稿画像が紙幣や有価証券などの画像（特定画像）か識別する判定装置を用い、特定画像と判定した場合は、塗りつぶしなどの秘匿処理を行うことが知られている（例えば特許文献１〜４）。
【０００４】
特許文献１は、原稿読取りで得るＲＧＢ画像データを均等色空間の画像データに変換してから紙幣認識装置で原稿画像が特定画像かの認識を行い、特定画像と認識すると、色材記録のためのＹＭＣＫ画像データに対して塗潰し処理を加える画像処理装置を記載している。特許文献２は、原稿画像上の、特定画像であることを表す地紋ドット群を検出すると、原稿画像秘匿のために、ＹＭＣＫ画像データに対してベタ塗りにより塗り潰すが、ベタ塗り色材色を選択可能とすることにより、ベタ塗りに必要な色材として固定の色材のみを用いる場合に比べて、色材使用量の偏りを少なくする画像処理装置を記載している。
【０００５】
特許文献３には、スキャナが生成するＲＧＢ画像データをＹＭＣＫ画像データに変換しそれを秘匿処理してからメモリに蓄積し（図１，図２）、あるいはＲＧＢ画像データを秘匿処理してからメモリに蓄積しそしてメモリから読み出してＹＭＣＫ画像データに変換する（図９〜図１１）、画像処理装置が記載されている。特許文献４には、スキャナが生成する画像データをメモリ手段に格納し、１原稿の読取りが終了したとき、メモリ手段に格納した画像データを読み出して、特定画像であると塗潰しを施して画像蓄積手段に蓄積するが、メモリ手段に所定ラインの画像データを入力した段階で印刷を開始し、特定画像と判定したときにはそこで塗潰しを施して印刷を行う画像処理装置を記載している。
【発明の開示】
【発明が解決しようとする課題】
【０００６】
いずれも、色材記録のためのＹＭＣＫ画像データ又は画像読取りのＲＧＢ画像データに対して塗潰し処理を加えるが、Ｋ画像データに塗潰し処理を加えると、モノクロモードやファクシミリ白黒出力の場合には、塗潰しを要しない白黒（モノクロ）画像も塗潰されてしまう。Ｙ，ＭおよびＣ画像データを同時に塗潰し処理する場合も同様である。
【０００７】
本発明は、カラー印刷は塗潰すがモノクロ印刷は塗潰さない、又は、カラー印刷を塗潰ししかもモノクロ印刷も塗潰す、を設定可能にすることを目的とする。
【課題を解決するための手段】
【０００８】
（１）画像を表す第１ＲＧＢ画像データに基づいて該画像が複製を禁止されている特定画像か識別し、モノクロ画像の複製は許可する設定では、特定画像と識別した第１ＲＧＢ画像データのＲ画像データ又はＢ画像データを塗潰しレベルに変換し、モノクロ画像の複製も禁止する設定では、特定画像と識別した第１ＲＧＢ画像データのＧ画像データを塗潰しレベルに変換し、カラー画像出力をするカラーモードでは該変換をした画像データと他の画像データでなる第２ＲＧＢ画像データを印刷用のＣＭＹＫ画像データに変換し、モノクロ画像出力をするモノクロモードではＧ画像データを印刷用のＫ画像データに変換する、画像の秘匿方法。
【発明の効果】
【０００９】
一般的に、カラー読取りの場合にはＲＧＢ画像データが印刷用のＣＭＹＫ画像データに変換されるが、モノクロ読取りやファクシミリ送受信では、ＲＧＢ画像データのＧ画像データのみが、印刷用のＫ画像データに変換され、Ｒ，Ｂ画像データは印刷用のＣＭＹＫ画像データのいずれにも変換されない。すなわち、カラーモードの場合には、Ｒ画像データがＭ，ＹおよびＫ画像データに反映され、Ｂ画像データがＣ，ＭおよびＫ画像データに反映される。
【００１０】
そこで、ＲＧＢ画像データのＲ又はＢ画像データを塗潰しレベルに変換すると、印刷画像は塗潰されたものとなる。しかし、モノクロモードおよびファクシミリ送受信の場合には、ＲＧＢ画像データのＧ画像データのみが印刷用のＫ画像データに変換され、Ｒ，Ｂ画像データの塗潰しの影響を受けないので、印刷画像は塗潰されない。
【００１１】
ＲＧＢ画像データのＧ画像データを塗潰しレベルに変換すると、カラーモードの場合にはＧ画像データが印刷用のＣ，ＭおよびＫ画像データに反映されるので印刷画像は塗潰されたものとなる。しかも、モノクロモードの場合にも、Ｇ画像データ＝Ｋ画像データが塗潰されたものになるので、印刷画像は塗潰されたものとなる。
【００１２】
したがって、モノクロ画像の複製を「許可」する設定ではＲ又はＢ画像データを塗潰しに定め、「禁止」する設定ではＧ画像データに定めることにより、「カラー印刷は塗潰すがモノクロ印刷は塗潰さない」と、「カラー印刷を塗潰ししかもモノクロ印刷も塗潰す」を選択できる。
【００１３】
（２）原稿画像を読み取って第１ＲＧＢ画像データを生成する読取手段(210)；
第１ＲＧＢ画像データが表す画像が複製を禁止されている特定画像か識別する判定手段(2b)；
モノクロ画像の複製は許可する設定では、特定画像と識別した第１ＲＧＢ画像データのＲ画像データ又はＢ画像データを塗潰しレベルに変換し、モノクロ画像の複製も禁止する設定では、特定画像と識別した第１ＲＧＢ画像データのＧ画像データを塗潰しレベルに変換する塗潰し手段(2c)；
カラー画像出力をするカラーモードでは該変換をした画像データと他の画像データでなる第２ＲＧＢ画像データを印刷用のＣＭＹＫ画像データに変換し、モノクロ画像出力をするモノクロモードではＧ画像データを印刷用のＫ画像データに変換する、色補正手段(27)；および、
該色補正手段が変換した印刷用の画像データに基づいて用紙上に画像を形成する作像手段(100)；
を備える画像形成装置。
【００１４】
なお、理解を容易にするためにカッコ内には、図面に示し後述する実施例の対応要素の符号を、例示として参考までに付記した。以下も同様である。
【００１５】
これによれば、モノクロ画像の複製を「許可」する設定では塗潰しをＲ画像データおよび又はＢ画像データに行うことで、印刷の際に、カラーモードであれば塗りつぶしが反映された画像を、モノクロモードであれば塗りつぶしの影響を受けない画像を得ることができる。「禁止」する設定では塗潰しをＧ画像データに行なうことで、カラーモードとモノクロモードのいずれでも、塗潰された画像を得ることができる。このように、「カラー印刷は塗潰すがモノクロ印刷は塗潰さない」と、「カラー印刷を塗潰ししかもモノクロ印刷も塗潰す」を選択できる。
【００１６】
（３）画像データを記憶する第１および第２記憶手段(7,8)；および、
１つの原稿画像の、前記読取手段が生成する第１ＲＧＢ画像データを第１記憶手段(7)に格納し、該１つの原稿画像の読取りが終了したとき、第１記憶手段に格納した第１ＲＧＢ画像データを第１記憶手段から読み出して、特定画像であると前記塗潰し手段(2c)で前記変換を行い、特定画像でないと該変換はしないで、圧縮して第２記憶手段(8)に格納した後、第２記憶手段(8)から読み出して伸張して前記色補正手段(27)に与える制御手段(SYC)；
を更に備える、上記（２）に記載の画像形成装置。
【００１７】
これによれば、第２記憶手段(8)に格納した画像データを使いまわすことで、リピート印刷の際にも不正な出力を確実に抑止できることができる。
【００１８】
（４）前記制御手段(SYC)は、１つの原稿画像の、前記読取手段(210)が生成する第１ＲＧＢ画像データを第１記憶手段(7)に格納すると共に前記色補正手段(27)で印刷用の画像データ(CMYK,K)に変換して前記作像手段(100)に与え、該１つの原稿画像の読取り中に前記判定手段(2b)が特定画像と識別すると前記色補正手段に与える画像データを、第１ＲＧＢ画像データから、前記塗潰し手段が前記変換をした画像データに切換える；上記（３）に記載の画像形成装置。
【００１９】
これによれば、生産性をあげるために、画像の読取途中から同期して画像を出力する場合でも、印刷途中からでも塗潰しがかかり、不正な出力を抑止することができる。
【００２０】
（５）ユーザ入力に応じて、モノクロ画像の複製の禁止又は許可を定める設定手段(SPP)；を更に備える上記（２）乃至（４）のいずれか１つに記載の画像形成装置。
これによれば、特定原稿を検出した場合に、モノクロ画像も塗潰すか否を選択設定できる。
【００２１】
（６）前記塗潰し手段(2c)は、前記設定手段(SPP)による設定が前記「禁止」であるときには、Ｇ画像データを塗潰しレベルに変換し、前記「許可」であるときには、ＲおよびＢ画像データの少なくとも一方を塗潰しレベルに変換する；上記（５）に記載の画像形成装置。
【発明を実施するための最良の形態】
【００２２】
本発明の他の目的および特徴は、図面を参照した以下の実施例の説明より明らかになろう。
【実施例１】
【００２３】
図１に、本発明の第１実施例の複合機能フルカラーデジタル複写機Ａ１の外観を示す。図１に示すフルカラー複写機Ａ１は、大略で、自動原稿送り装置（ＡＤＦ）２３０と、操作ボード６と、カラースキャナ２１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００２４】
機内のネットワークＩ／Ｆ（インターフェース）には、パソコンＰＣが接続したＬＡＮ（Local Area Network）が接続されており、パソコンＰＣおよび複写機Ａ１は、ルータを介してインターネット等の広域通信網に接続することができる。機内のファクシミリコントロールユニットＦＣＵには、電話回線ＰＮ（ファクシミリ通信回線）に接続された交換器ＰＢ×が接続されている。カラープリンタ１００のプリント済の用紙は、排紙トレイ１０８上またはフィニッシャ３４に排出される。
【００２５】
スキャナ２１０のコンタクトガラス上に置かれた原稿の画像は、スキャナ２１０の画像読取り機構によって、画像データに変換される（フラットベッド読取り）。スキャナ２１０には、自動原稿供給装置ＡＤＦ２３０が装着されている。ＡＤＦ２３０の原稿トレイに積載された原稿は、スキャナ２１０の読み取り窓に送り出されてその上を通過し、そして排紙ローラで、原稿トレイの下方の圧板兼用の排紙トレイ上に排出される。原稿の画像は、読み取り窓を通過する際に、スキャナ２１０によって画像データに変換される（シートスルー読取）。
【００２６】
カラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図上で右下から左上方向ｙ）に沿ってこの順に配置されている。即ち、４連ドラム方式のフルカラー画像形成装置である。これらマゼンダ（Ｍ），シアン（Ｃ），イエロー（Ｙ）および黒（Ｋ）のトナー像形成ユニットは、それぞれ、感光体ドラムを有する感光体ユニットと、現像ユニットとを備えている。また、各トナー像形成部の配置は、各感光体ユニット内の感光体ドラムの回転軸が水平×軸（主走査方向）に平行になるように、且つ、転写紙移動方向ｙ（副走査方向）に所定ピッチの配列となるように、設定されている。
【００２７】
また、レーザプリンタ１００は、上記トナー像形成ユニットのほか、レーザ走査によるレーザ露光ユニット，給紙カセット，レジストローラ対，転写紙を担持して各トナー像形成部の転写位置を通過するように搬送する転写搬送ベルトを有する転写ベルトユニット，ベルト定着方式の定着ユニット，排紙トレイ，両面ドライブ（面反転）ユニット３３等を備えている。また、レーザプリンタ１００は、図示していない手差しトレイ、トナー補給容器、廃トナーボトル、なども備えている。
【００２８】
レーザ露光ユニットは、レーザ発光器，ポリゴンミラー，ｆ−θレンズ，反射ミラー等を備え、画像データに基づいて各感光体ドラムの表面にレーザ光を、紙面に垂直な主走査ｘ方向に振り走査しながら照射する。
【００２９】
給紙カセットから給送された転写紙は、搬送ガイドで案内されながら搬送ローラで搬送され、レジストローラ対に送られ、レジストローラ対により所定のタイミングで転写搬送ベルトに送出された転写紙は転写搬送ベルトで担持され、各トナー像形成部の転写位置を通過するように搬送される。各トナー像形成部の感光体ドラムに形成されたトナー像が、転写搬送ベルトで担持され搬送される転写紙に転写され、各色トナー像の重ね合わせ即ちカラー画像が形成された転写紙は、定着ユニットに送られる。すなわち転写は、転写紙上にじかにトナー像を転写する直接転写方式である。定着ユニットを通過する時トナー像が転写紙に定着する。トナー像が定着した転写紙は、排紙トレイ，フィニッシャ３４又は両面ドライブユニット３３に排出又は送給される。
【００３０】
各トナー像形成ユニットは、前述のように感光体ユニット及び現像ユニットを備えている。感光体ユニットは、感光体ドラムのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。各感光体ユニットにおいて、交流電圧が印加された帯電ローラにより一様帯電された感光体ドラムの表面に、レーザ露光ユニットで、プリントデータに基づいて変調されポリゴンミラーで偏向されたレーザ光が走査されながら照射されると、感光体ドラムの表面に静電潜像が形成される。感光体ドラム上の静電潜像は、現像ユニットで現像されてトナー像となる。転写搬送ベルト上の転写紙が通過する転写位置では、感光体ドラム上のトナー像が転写紙に転写される。トナ−像が転写された後の感光体ドラムの表面は、ブラシローラで所定量の潤滑剤が塗布された後、ブレードでクリーニングされ、除電ランプから照射された光によって除電され、次の静電潜像の形成に備えられる。
【００３１】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００３２】
図２に、複合機能複写機Ａ１の画像処理系統のシステム構成を示す。スキャナ２１０およびプリンタ１００は、画像データ処理装置２に接続されている。画像データ処理装置２には、入力画像データ処理２ａおよび出力画像データ処理２ｄ、ならびに、特定原稿であるかを識別する地紋検出しょり２ｂおよび特定画像の塗潰しを行う秘匿処理２ｃがある。入力画像データ処理２ａは、スキャナ２１０が出力する画像データに対して、スキャナガンマ補正，フィルタ処理および地肌濃度調整（地肌除去）などの、読取り歪を補正する画像処理を施す。出力画像データ処理２ｄは、色補正（ＲＧＢ信号のＹＭＣＫ信号への色変換を含む），変倍，画像加工，プリンタガンマ補正，階調処理などの画質処理をおこなう。加えて、地紋合成（秘匿情報の付加）も行う。
【００３３】
本実施例では、地紋検出処理２ｂが、スキャナ２１０のＣＣＤが読み取った原稿表面画像の地紋を検出する。
【００３４】
システムコントローラＳＹＣにあるバス制御装置３は、画像データ処理装置２とメモリ制御装置４との間の、画像データ転送のためのデータラインの使用割当てを制御し、これらの装置と、システムコントローラＳＹＣの主体であるＣＰＵ５との間の通信をおこなう。また、画像データの１次圧縮／伸張も行う。
【００３５】
メモリ制御装置４は、アクセス制御，メモリ制御，圧縮／伸張，画像編集，バス制御，ポート制御，ネットワーク制御などの機能を備えている。メモリ制御，圧縮／伸張，画像編集，バス制御，ポート制御，ネットワーク制御は、それぞれＤＭＡＣ（ダイレクトメモリアクセス制御）を介してアクセス制御に接続される。
【００３６】
メモリ制御装置４は、システムコントローラの主体であるＣＰＵ５の制御に基づいて、第１記憶手段であるメインメモリ７および第２記憶手段であるＨＤＤ８に対する、画像データのアクセス制御，ＬＡＮ上に接続したパソコンＰＣ等のプリント用データの展開，メインメモリ７，ＨＤＤ８の有効活用のための画像データの２次圧縮／伸張ならびにパソコンＰＣ，メモリカード等への画像データの転送等もおこなう。バス制御装置３からメモリ制御装置４へ送られた画像データ（１次圧縮データ）は、メモリ制御装置４が、データ圧縮（２次圧縮）して、メインメモリ７又はＨＤＤ８に蓄積する。蓄積された画像データは必要に応じて読み出す。読み出した画像データは、伸張（２次伸張）して、１次圧縮データに戻してメモリ制御装置４からバス制御装置３へ戻す。そしてバス制御装置３で本来の画像データに伸張（１次伸張）して、画像データ処理装置２を経てプリンタ１２に出力する。
【００３７】
メモリ制御装置４にはまた、汎用（市販）の解凍／圧縮機能もあり、ファクシミリ，ＰＣあるいはメディア（メモリカード等）から読み込んだ圧縮データを解凍（伸張）することができ、また、複写機内で生成する面順次，線順次又は点順次の画像データを圧縮することができる。外部入出力コントローラ９およびネットワークＩ／Ｆ１０又はメディアＩ／Ｆ１１を介して、外部ファクシミリ，ネットワークサーバ，パソコンＰＣ，メモリカード等に転送するときには、この圧縮機能で圧縮してから転送する。メモリ制御装置４には更に、１次圧縮／伸張機能もある。２次伸張機能でメモリ７の２次圧縮データを１次圧縮データに伸張し、そして１次伸張機能で１次圧縮データを画像データに伸張してメモリ７に展開することが出来る。
【００３８】
システムコントローラＳＹＣの主体であるＣＰＵ５は、ＨＤＤ８に対するプログラム，制御データ，参照データ，変換テーブル（ＬＵＴ：ルックアップテーブル）等の、書画情報以外のデータの読み書きを制御し、また各構成部の動作を制御する。
【００３９】
操作ボード６は、ユーザの入力に対応して、ＣＰＵ５がおこなうべき処理を指示する。たとえば、処理の種類（複写，ファクシミリ送信，画像配信，画像読込，プリント等）および処理の枚数等を入力する。すなわち操作ボード６は、操作ボード６に対するユーザの操作に対応して、置数キーの押下の読込みと入力数字データの生成，スタートキーの押下の読込みと、スタート指示の、ＣＰＵ５への転送，用紙サイズの切換え入力の読取りなど、ユーザの操作読取りおよび表示出力の制御を行う。これにより、画像データ制御情報の入力を行うことができる。
【００４０】
メモリ制御装置４のネットワーク制御は、ＬＡＮおよびインターネットとの接続を制御する。ネットワーク制御は、ネットワークに接続された外部拡張機器に対するデータの送受信を管理する。すなわち、ＨＤＤ８に格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、外部入出力コントローラ９を介して、ＬＡＮおよびインターネットを介するファイル，メールの送受信を行う。また、送信ファイルの生成ならびに受信ファイルのディレクトリへの付加を行う。ＣＰＵ５は、メモリ制御装置４におけるネットワークインターフェースについて制御を行う。例えば、操作ボード６又はＰＣからの原稿読み取り＆送信のコマンドに対応してメモリ制御装置４に、送信ファイルの生成，送信先のディレクトリの生成および送信を指示する。
【００４１】
メモリ制御装置４のアクセス制御は、ＣＰＵ５によるコマンド制御を実施する。アクセス制御はまた、メモリ７，ＨＤＤ８を中心に、外部ユニットからのメモリ７，ＨＤＤ８へのアクセスを管理する。スキャナ１が出力する画像データは、画像データ処理装置２を経て、バス制御装置３を介してメモリ制御装置４に転送され、メモリ制御装置４内に取り込まれる。取り込まれた画像データのメモリアクセスは、ＣＰＵ５の管理から離れる。すなわち、そのメモリアクセスは、システム制御から独立してダイレクトメモリアクセス制御（ＤＭＡＣ）によりおこなわれる。メモリ７，ＨＤＤ８へのアクセスについて、アクセス制御は複数ユニットからのアクセス要求の調停をおこなう。そして、メモリ制御装置４のメモリ制御は、メモリ７，ＨＤＤ８のアクセス動作またはデータの読み出し／書き込みを制御する。
【００４２】
ネットワークからメモリ７，ＨＤＤ８へアクセスする場合、ネットワークからネットワーク制御によりメモリ制御装置４内に取り込まれたデータは、ダイレクトメモリアクセス制御ＤＭＡＣによりメモリ７，ＨＤＤ８へ転送される。アクセス制御は、複数ジョブでのメモリ７，ＨＤＤ８へのアクセスの調停をおこなう。メモリ制御は、メモリ７，ＨＤＤ８に対するデータの読み出し／書き込みをおこなう。シリアルバスからメモリ７，ＨＤＤ８へアクセスする場合、ポート制御によりポートを介してメモリ制御装置４内に取り込まれたデータは、ダイレクトメモリアクセス制御ＤＭＡＣによりメモリ７，ＨＤＤ８へ転送される。ネットワークまたは直接接続されたＰＣからのプリント出力データは、ＣＰＵ５により、フオントデータを用いてイメージデータに変換されて、メモリ７，ＨＤＤ８内のメモリエリアに展開される。
【００４３】
各外部ユニットとのインターフェースについては、ＣＰＵ５が管理する。メモリ制御装置４内に取り込まれた後のデータ転送については、それぞれのＤＭＡＣがメモリアクセスを管理する。この場合、各ＤＭＡＣは、お互いに独立してデータ転送を実行するため、アクセス制御は、メモリ７，ＨＤＤ８へのアクセスに関するジョブの衝突、または各アクセス要求に対する優先付けをおこなう。
【００４４】
図３に、デジタル複写機Ａ１のソフトウェア構成の概略を示す。機器外部からの指示を受け付けると、ユーザインターフェース２０１で指示を解釈してコントロール２０２に対して指示を行なう。ローカルＵＩ２０８は機器に付属の操作部の操作による指示を受け付けるブロックで、通信サーバ２０７はネットワーク経由の指示を受け付けるブロックである。コントロール２０２はユーザインターフェース層からの指示を受けると、ユーザＩ／Ｆからの指示はパラメータ２０９に格納し、アクティビティ２１０でユーザの要求を満たすために必要なアプリケーションロジック２０３内のコンポーネントから使用するコンポーネントを選択し、使用するコンポーネントにそれぞれ実行を要求する。
【００４５】
アプリケーションロジック２０３は、ユーザの指示を実行するための機能を実現するコンポーネント群である。これらのコンポーネントを複数使用することで、ユーザの要求が実現される。ここでは、入力処理２１１，加工処理２１２，出力処理２１３，データ管理２１４がそれぞれ図示されているが、その他の機能が追加されていても構わない。アプリケーションロジック２０３では、コントロール２０２からの指示に従って、各機能ブロックごとに処理を行なっていく。デバイスは２０５は、実際に処理を行なうために必要なハードウェアの制御コンポーネント群である。機器によって、ネットワークや電話回線，スキャナなどの接続されているデバイスを制御する。クロスカット２０６はすべてのブロックから共通に使用される機能ブロックである。例えば、履歴２１９は履歴を残す必要があるすべてのブロックからアクセスされ、その内容を記録する。
【００４６】
図４に、画像データ処理装置２の画像処理機能の概要を示す。画像データ処理装置２には、入力画像データ処理２ａおよび出力画像データ処理２ｄがある。大要では、入力画像データ処理２ａは、スキャナ２１０が出力する読取り画像データ（ＲＧＢデータ）の画像品質を良くする読取り補正および秘匿処理を行い、出力画像データ処理２ｄは、読取り画像データを、プリンタ１００の画像表現特性に合致する記録画像データに変換ししかも作像品質をよくする補正、ならびに、秘匿情報の付加（地紋合成３１）を行う。
【００４７】
入力画像データ処理２ａには、画像データの階調特性を校正又は調整するスキャナガンマ補正２１ａ，画像の各部が文字領域か写真領域かの判定（画像特性の検出，像域分離）をする像域分離２３ａ，判定結果に基づいて画像特性（文字／写真）にあわせて鮮鋭化又は平滑化するフィルタ処理２２ａ，地肌濃度調整２４ａおよび変倍２６ａがある。像域分離２３ａは、文字領域の検出および非文字領域の検出をおこない、文字領域でもなく非文字領域でもない領域は地肌領域と検出する。
【００４８】
出力画像データ処理２ｄは、色補正（ＲＧＢ信号のＹＭＣＫ信号への色変換を含む）２７，変倍２８，画像加工２９，プリンタガンマ補正３０および階調処理３２などの画質処理をおこなう。加えて、地紋合成（秘匿情報の付加）３１も行う。
【００４９】
秘匿処理２ｃは、地紋検出処理２ｂが特定画像と認識した画像データに対して、塗潰し処理を適用する。特定画像と認識しなかった画像データに対しては、塗潰し処理を実施しない。秘匿処理２ｃの内容は図１０に示し後述する。
【００５０】
図５に、地紋検出処理２ｂの機能を示す。地紋検出処理２ｂは、スキャナγ補正２１ａが出力するＲ，Ｇ，Ｂ画像データを２値化して（４１）、２値ＲＧＢ画像データから、地肌領域の黒色画像を抽出する（４２）。次に孤立ドット抽出４３では、主走査ｄ画素×副走査ｌライン中にある、黒色画像の孤立画素を検出する。次に位相情報記憶部４４が、主走査ｄ画素×副走査ｌライン中にある孤立画素から、主走査ｄ画素×Ｂ数分のＢｄと副走査ｌライン×Ｌ数分のＬｌであるＢｄ×Ｌｌブロック中の孤立画素の位置関係を記憶する。そしてパターンマッチング４５によって、位置情報記憶４４が記憶したＢｄ×Ｌｌブロック中の孤立画素の位置関係情報と、予め位相情報記憶４４に記憶している第１グループの数種の参照パターンの位置関係情報（参照情報）との照合をして、合致する参照パターンを検索する。合致する参照パターンがあると、特定画像との認識が成立したことを表す認識成立情報を生成し、メモリ制御装置４に与える。
【００５１】
図６に示す様に、操作ボード６には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「パスワード登録」機能，「著作権登録／設定」機能および「使用実績の出力」機能等を指定するための選択ボタンが表示される。「初期値設定」機能を用いて、一定時間操作が無いときに優先して選択されるアプリケーション等も選択する事、国際エネルギースター計画に従った低電力への移行時間の設定や、オートオフ／スリープモードへの移行する時間を設定する事が可能である。
【００５２】
液晶タッチパネル７９には、各種機能キー及び画像形成装置の状態を示すメッセージなどが表示される。液晶タッチパネル７９には、「コピー」機能，「スキャナ」（スキャナ配信）機能，「プリント」機能，「ファクシミリ」機能，「蓄積」機能，「編集」機能，「登録」機能およびその他の機能選択用および実行中を表わす機能選択キー８０ｇが表示される。なお、「蓄積」機能は、原稿スキャナ１０で読み取った原稿の画像データ，ファクシミリ受信データおよびＰＣからの書画をＨＤＤの蓄積領域に記憶する機能である。「登録」機能は、ＨＤＤの登録領域に記憶する機能であり、ＨＤＤの蓄積領域に記憶した書画のうち、多くのユーザが使用する共通性が高い書画や、長期保存したい書画や、特別な管理を設定したい書画をＨＤＤの登録領域に記憶する機能である。
【００５３】
液晶タッチパネル７９には、機能選択キー８０ｇで指定された機能に定まった入出力画面が表示され、例えば「複写」機能が指定されているときには、図６に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００５４】
図７に、図２に示すコントロールＣＳＹ（にあるＣＰＵ５）の、プログラムＲＯＭに格納されＲＡＭに展開されるプログラムに基づいた画像処理制御、すなわち操作ボード６に対するユーザの操作またはＰＣからのコマンドに応答して実行するシステム制御の概要を示す。動作電圧が加わるとＣＰＵ５は、出力ポートのクリア，内部メモリ，レジスタの初期化等を行い（ステップ１，２）、そして各部の状態読み取りを行う（ステップ３）。以下では、括弧内にはステップという語を省略して、ステップ番号のみを記す。異常個所があるとそれを操作ボード６のディスプレイで報知し、正常に変わるのを待つ（５）。正常であると、「入力読み取り」（６）で、操作ボード６に対するユーザの操作あるいはＰＣ又はＦＡＸからのコマンド又は受信要求があるのを待つ。
【００５５】
ここで、操作ボード６上の「初期設定」キーが操作されると、操作ボード６（にあるＣＰＵ）は、「初期設定」（８）を実行する。この「初期設定」（８）において操作ボード６は、その液晶タッチパネル７９に、初期設定のメニュー画面を表示する。該メニュー画面にはユーザ登録の項目があり、該ユーザ登録をオペレータが指定すると、Ａ１管理者パスワードの入力画面を表示する。オペレータがＡ１管理者パスワードを入力すると、操作ボード６は、ユーザ登録入力画面を表示する。この画面上にユーザ名とパスワードを入力して、ユーザ登録することができる。ユーザ登録情報（ユーザ名＆パスワード）は、使用者認証装置１８の不揮発メモリに書き込まれる。
【００５６】
初期設定のメニュー画面には、「秘匿処理の設定」の項目があり、これをオペレータが指定すると、操作ボード６は、秘匿処理の設定画面ＳＰＰを、図８に示す液晶タッチパネル７９に表示する。秘匿処理の設定画面ＳＰＰには、モノクロ画像の複製は、「禁止」と「許可」、との２つの一方を選択する画面があり、ユーザが指定した方が、設定される。すなわち、操作ボード６内の不揮発メモリの初期設定テーブル（メモリの一領域）に書き込まれる（描きこまれる。該テーブル上の秘匿処理設定レジスタのデータが書き換えられる）。この設定データは、秘匿処理２ｂ（図１０のＳ１１）において参照される。
操作ボード６の液晶タッチパネル（ＬＣＤ）７９に表示された機能選択キー群の中の「コピー」にユーザがタッチすると、ＬＣＤ７９の表示は、コピーモードの入力画面となり、コントロールＣＳＹのＣＰＵ５は、操作ボード６に対するユーザのコピー用入力操作に応答する「コピー」（１０）を実行する。
【００５７】
機能選択キー群の中の「読み取り」にユーザがタッチすると、ＬＣＤ７９の表示は、原稿画像「読み取り」モードの入力画面となり、ＣＰＵ５は、操作ボード６に対するユーザの読み取り用入力操作に応答する「読み取り」（１２）を実行する。機能選択キー群の中の「印刷」にユーザがタッチすると、ＬＣＤの表示は、蓄積画像の「印刷」モードの入力画面となり、ＣＰＵ５は、操作ボード６に対するユーザの蓄積画像印刷のための入力操作に応答する「印刷」（１４）を実行する。機能選択キー群の中の「ファクシミリ」にユーザがタッチすると、ＬＣＤ７９の表示は、スキャナ１０に配置した原稿の「ファクシミリ（送信）」モードの入力画面となり、ＣＰＵ５は、操作ボード６に対するユーザのファクシミリ送信のための入力操作に応答する「ファクシミリ」（１６）を実行する。機能選択キー群の中の「蓄積」にユーザがタッチすると、ＬＣＤ７９の表示は、スキャナ１０に配置した原稿の画像をＨＤＤ５に蓄積（登録）する「蓄積」モードの入力画面となり、ＣＰＵ５は、操作ボード６に対するユーザの蓄積のための入力操作に応答する「蓄積」（１８）を実行する。機能選択キー群の中の「編集」にユーザがタッチすると、ＬＣＤ７９の表示は、ＨＤＤ５に蓄積した画像を読み出して編集する「編集」モードの入力画面となり、ＣＰＵ５は、操作ボード６に対するユーザの編集のための入力操作に応答する「編集」（２０）を実行する。
【００５８】
複合機能複写機Ａ１に接続されたＰＣには、該ＰＣを操作ボード６と同等の操作端末とししかもＰＣに接続されたディスプレイに、操作ボード６のディスプレイと同様に読み取り画像を表示するアプリケーションプログラムがインストールされており、ユーザはＰＣを用いて、操作ボード６を使用するのと同等に、複写機Ａ１を使用することができる。ただし、操作ボード６のディスプレイであるＬＣＤ７９はタッチ入力方式と２次元カーソル操作入力方式の併用であるが、これらの入力方式にかえてＰＣでは、キーボードのキー入力が採用されている。ＰＣのアプリケーションプログラムを起動することにより、操作ボード６のＬＣＤ７９に表示される操作ボード入力画面と同様な入力画面がＰＣのディスプレイに表示され、該入力画面上の入力ボタンにカーソルをおいてダブルクリックするか、あるいはEnterキーを押すことにより、該入力ボタンに対する入力操作をＰＣが認識する。ＰＣに対する入力操作に応答して、ＰＣから複写機Ａ１のコントロールＣＳＹにコマンドが送られてくると、コントロールＣＳＹのＣＰＵ５は、操作ボード６に対して入力操作があった場合と同様に、コマンド対応の制御に進む（２２）。
【００５９】
図９に、「コピー」（１０）の内容を示す。「コピー」（１０）に進むと操作ボード６のＬＣＤ（又はＰＣの使用による場合はＰＣのディスプレイ）にコピー入力画面を表示し（Ｓ１）、表示上にパスワード入力画面を表示してパスワード入力を促す。これに応じてオペレータが使用者認証装置にＩＣカードを挿入し、あるいは操作ボード６にパスワードを入力し、入力したパスワードが登録されたものであると、ＣＰＵ５は、コピー入力画面に対するオペレータの入力の読み込みと入力対応の複写条件を設定する。オペレータは原稿をＡＤＦ２３０（あるいはコンタクトガラス上）にセットし、所望するコピーモード等の設定とコピー開始の入力を操作ボード６（又はＰＣ）に行う（以下ではＰＣの場合の記述を省略する）。コピー開始の指示の前に、オペレータは、「秘匿情報付加」を指定することができる。
【００６０】
スタートキーの押下があると、すなわちスタート指示があると、操作ボード６はオペレータが入力した情報を、機器内部の制御コマンドデータに変換し発行する。発行された制御コマンドデータはＣＰＵ５に通知される。ＣＰＵ５はコピー開始の制御コマンドデータに従って、コピー動作プロセスのプログラムを実行し、コピー動作に必要な設定や動作を順に行っていく。以下に動作プロセスを順に記す。
【００６１】
１．コピースタートの指示前に、「秘匿情報付加」の指定が操作ボード６に入力された場合に操作ボード６は、セキュリティコード形成のための情報項目（対象領域，パターン，色，警告文字）および各情報項目の指定すべき内容を表す情報入力テーブルをＬＣＤに表示して、各項目の内容指定を促す。なお、内容指定のデフォルトは、どの項目も３（非文字部＆文字部，ベタ，青，複写禁止）であるが、初期設定を利用してデフォルトの内容を変更することができる。
【００６２】
オペレータが内容指定を変更しあるいは変更しないでＯＫ又はエンターを入力すると、コピースタートが指示されたときにＣＰＵ６は、情報入力テーブルの情報内容を表すセキュリティコードを生成し、ＨＤＤ８から数種の黒ドットパターンを表現する各画像データをメモリ７に読み出し、セキュリティコードの並び（ａ）〜（ｈ）を中央で２分割して、２行に並べて各ビット「０」の位置には第１ドットパターンを、「１」には第２ドットパターンを割り当てたドットパターン群Ａｃすなわち地紋画像を表す画像データをメモリ７に展開して、それを地紋合成３１の内部メモリに書き込む（Ｓ６，Ｓ７）。
【００６３】
２．原稿画像の読み取りを開始して、ＣＣＤで読み取ってデジタル変換しそしてシェーディング補正したＲＧＢ各８ビットのデジタル画像データは、画像データ処理装置２の入力画像データ処理２ａにより、読み取り歪補正処理する。すなわち予め決められた特性に統一するための処理をするとともに、地紋検出処理２ｂで地紋検出をする（Ｓ８，Ｓ９）。すなわち、図５に示す地紋検出（特定画像の認識）を行う。
【００６４】
３．入力画像データ処理２ａが読み取り歪補正処理した、ＲＧＢ画像データ（第１ＲＧＢ画像データ）は、メインメモリ７に格納しつつメインメモリ７から読み出して出力画像データ処理２ｄに出力する（Ｓ１０，図１１のＡ１，Ａ２）。これを行っている間に地紋検出処理２ｂが秘匿情報を検出した場合すなわち特定画像と認識した場合は、地紋検出処理２ｂは、特定画像との認識が成立したことを表す認識成立情報を、メモリ制御装置４に与え、メモリ制御装置４が、この認識成立情報を内部メモリ（レジスタ）に保持するとともに、バス制御装置３を介して、メインメモリ７から読み出して出力画像データ処理２ｄに出力する第１ＲＧＢ画像データを秘匿処理２ｃに出力し、秘匿処理２ｃが処理したＲＧＢ画像データ（第２ＲＧＢ画像データ）を出力画像データ処理２ｄに出力するルート（図１３のＡ１，Ｂ２）に、画像データ転送を切換える。すなわち、第１ＲＧＢ画像データの秘匿処理（Ｓ１１）を開始する。秘匿処理（Ｓ１１）の内容は、図１０を参照して後述する。
【００６５】
１原稿の読取りを終えると、すなわち該原稿の第１ＲＧＢ画像データをメインメモリ７に格納し終えると、ＣＰＵ５は、メモリ制御装置４を介して、認識成立情報を保持している（メインメモリ７の画像データが特定原稿のものである）ときには、メインメモリ７の第１ＲＧＢ画像データを秘匿処理２ｃで第２ＲＧＢ画像データに変換し、圧縮してＨＤＤ８に格納する（Ｓ１２，図１３のＡ１，Ｂ３）。認識成立情報がない場合には、メインメモリ７の第１ＲＧＢ画像データをそのまま圧縮して、ＨＤＤ８に格納する（Ｓ１２，図１１のＡ３）。すなわち秘匿処理（塗潰し）はしない。
【００６６】
複数枚の原稿の連続読取りの場合には、各原稿に対して、上述の画像読取りＳ８〜ＨＤＤ８への格納Ｓ１２を行う。リピート印刷が必要（１原稿に付き複数枚の印刷指定）であると、ＨＤＤ８から、各原稿の画像データを１原稿ごとに読み出して伸張してメインメモリ７に展開してから出力画像データ処理２ｄに出力する（特定画像でない場合は図１２のＡ４，特定画像の場合は図１４のＢ４）。
【００６７】
原稿画像の一枚目の印刷（Ｓ１６，図１１，図１３）ならびに２枚目以降の印刷（Ｓ１６，図１２，図１４）のいずれにおいても、秘匿情報の付加が指定されている場合には、出力画像データ処理２ｄの地紋合成３１（図４）が、文字領域の検出および非文字領域の検出を行って、地肌領域（文字領域および非文字領域の外領域）の画像データに地紋画像を合成する（Ｓ１４，Ｓ１５）。
【００６８】
図１０を参照する。本実施例では、秘匿処理Ｓ１１が、図１０に示す塗潰し処理を実行する。ここでは、操作パネル６でユーザが設定した、モノクロ画像の複製は、「禁止」か「許可」かに応じて、「禁止」の場合には、秘匿処理２ｃに、原稿読取りのＲＧＢ画像データのＧ画像データ「Ｇ画像データの塗潰し」を設定し（Ｓ２１，Ｓ２２）、「許可」であると「Ｒ画像データの塗潰し」を設定する（Ｓ２３）。この設定に応じて、秘匿処理２ｃが、塗潰しに設定された読取り色画像データ（Ｇ又はＲ画像データ）を塗潰しレベルに変換する（Ｓ２２，Ｓ２３）。この実施例では塗潰しレベルは、最大値であるが、塗潰し効果が得られる最大値未満の大きい値であってもよい。
【００６９】
入力画像に対する塗潰しをＲ画像データに対して行なうと、入力画像データ（第１ＲＧＢ画像データ）と出力画像データ（第２ＲＧＢ画像データ）との関係（白補正２７の入力と出力の関係）は、図１５又は図１６に示すものとなる。図１５はカラーモードの場合を、図１６はモノクロモードの場合を示す。ファクシミリ受信印刷の場合は、モノクロモードの画像データ（Ｇ画像データ＝Ｋ画像データ）を受信するので、図１６に示すものとなる。
【００７０】
カラーモードにおいて、ＲＧＢ画像データ（第１ＲＧＢ画像データ）を色補正２７で印刷用のＣＭＹＫ画像データ（記録色データ，色材記録データ）に変換したときの色成分は、Ｒ成分がマゼンダとイエローおよびブラックの成分に反映され、Ｇ成分がシアンとイエローおよびブラックの成分に反映され、Ｂ成分がシアンとマゼンダおよびブラックの成分に反映される。いずれの場合もブラックＫの成分に反映されるので、カラーモードでＲ，Ｇ，Ｂ画像データのいずれを塗潰しレベルに変換しても、画像が塗潰される。
【００７１】
ところが、モノクロモードおよびファクシミリ受信出力では、色補正２７では第１ＲＧＢ画像データのＧ画像データのみをＫ画像データとするので、Ｒ又はＢ画像データが塗潰しに設定されていると、モノクロ画像およびファクシミリ受信画像（Ｇ画像データ＝Ｋ画像データ）の塗潰しは行われない。Ｇ画像データが塗潰しに設定されていると、図１７のように、Ｇ信号に対して塗潰し処理を行なうので、カラー画像はもちろん、モノクロ画像およびファクシミリ受信画像の塗潰しが行われる。
【００７２】
本実施例では、図８および図１０に示すように、モノクロ画像の複製は、「禁止」／「許可」を選択設定できる。「許可」が設定されていると塗潰し対象画像データをＲ画像データに定めるので、特定画像がカラー画像であると塗潰されるが、モノクロ画像（ファクシミリ受信画像）は塗潰されない。このように、Ｒ画像成分のみを塗潰すことにより、出力の形態によらず、白黒出力を行なう場合には、塗潰されない画像を、カラー出力を行なう場合には、塗潰された画像を出力画像として生成することができる。
【００７３】
しかし、「禁止」が設定されていると塗潰し対象画像データをＧ画像データに定めるので、特定画像がカラー画像であると塗潰される、また、モノクロ画像（ファクシミリ受信画像）であっても塗潰される。このようにすることにより、出力画像がカラーであっても白黒であっても塗潰しを反映させることができる。
【００７４】
なお、本実施例では、モノクロ画像の複製は、「許可」が設定されているときの塗潰し対象画像データをＲ画像データに定めているが、Ｂ画像データとしてもよく、ＲおよびＢ画像データとすることも出来る。
【００７５】
ここで、本実施例における動作例として、入力にスキャナ２１０による原稿読取を、出力にプリンタ１００の印刷機能を選択する「コピー」の場合の動作を説明する。図１１には、原稿１枚の画像を読取って一枚印刷するまでの画像データの流れＡ１，Ａ２を示す。ユーザが複写機のスキャナ部に原稿をセットし、コピー機能を選択すると、ＣＰＵ５は、入力処理としてスキャナ読取り、出力処理として印刷を設定する。カラー変更，変倍、ステープルなどの指定を行った後、ユーザが処理実行を指示すると、ＣＰＵ５は、読み取った画像を記憶する領域（画像ファイル）をメモリ領域ＭＡＲに確保し、スキャナ２１０に読取りを指示する。片面読取りである場合、紙原稿一枚をスキャナで読み取るごとに、ページの画像データとしてＲＧＢデータが１ページずつ作成されていく。生成されたＲＧＢ画像データに基づいて、画像が特定画像であるかどうか判定し、その後確保した画像ファイルに読み取ったラインごとに順次保持していく。
【００７６】
１枚の原稿に対して読取りが開始すると、読み取った画像はメモリ７に保持し（Ａ１）、入力画像データ処理２ａが処理した第１ＲＧＢ画像データは、出力画像データ処理２ｄで印刷用のＣＭＹＫ画像データに変換され、転写紙（用紙）に印刷処理を行う（Ａ２）。１原稿の読取りが終了したときにメモリ７からＨＤＤ８に格納される。このとき、読取り画像が特定画像と識別されていないと、秘匿処理なしでＨＤＤ８に格納される（図１１のＡ３）。読取り画像の加工，編集はＨＤＤ８の画像データに対して行われる。
【００７７】
リピート印刷が必要であると、図１２に示すように、ＨＤＤ８から画像データを読み出してメインメモリ７に展開してから出力画像データ処理２ｄに出力する。外部に出力する場合にも、ＨＤＤ８から画像データを読み出してメインメモリ７に展開してから、外部入出力コントローラ９を介して外部に送出する。
【００７８】
一方、読み取った原稿の画像が特定画像と認識されると、画像データの流れは図１３に示すものとなる。この読取りが終了したときには、メインメモリ７の画像データは、秘匿処理２ｃをしてからＨＤＤ８に格納される（図１３のＢ３）。リピート印刷が必要であると、図１４に示すように、ＨＤＤ８から画像データを読み出してメインメモリ７に展開してから出力画像データ処理２ｄに出力する。外部に出力する場合にも、ＨＤＤ８から画像データを読み出してメインメモリ７に展開してから、外部入出力コントローラ９を介して外部に送出する。
【００７９】
一般的にコピー動作などでは、読取から印刷までの所要時間を小さくするために、一枚の原稿の読取が完了しなくても、何ラインか読取が終了したら、読取完了した部分から順次ラインごとに印刷を行なう（図１１，図１３）。このため、読取画像が特定画像と識別した際にはすでに一部の出力画像が作成されている可能性がある。そのため、入力画像を出力すると同時に塗潰し処理を行なう（図１３）。このようにして、読み取った画像が特定画像であっても画像のそのままの印刷を抑制することができる。
【００８０】
また、読取り画像はリピート印刷の際に再度利用されるので、特定画像であった場合は、ＨＤＤ８から読み出して出力画像データ処理２ｄに出力する画像データも、秘匿処理したものでなければならない。したがって、本実施例では、メインメモリ７から読み出してＨＤＤ８に格納するときに、図１３のＢ２，Ｂ３の流れで、塗潰し処理する。リピート出力を行なう場合には、リピート２枚目の出力の際に、ＨＤＤ８から読み出す画像データは、通常の図１２で示す画像フローと同一の図１４に示すＢ４の流れとなるが、塗潰し処理が行われているので、出力画像も塗潰し画像となる。３枚目以降のリピート出力には、２枚目出力でメインメモリ７に展開した画像データを繰り返し使用する。このようにすることで、リピート出力においても特定画像に対して塗潰しを行なうことが出来る。
【００８１】
前記の例はコピー出力であるが、例えばＦＡＸなどの白黒出力を行なう際には、課金の問題などにより、特定原稿であっても出力画像に塗潰しを反映させたくない場合がある。その場合には、設定画面ＳＰＰ（図８）で、モノクロ画像の複製は、「許可」を指定すればよい。一方、入力画像としてＨＤＤ８に保存された画像は、さまざまな出力に利用されるので、モノクロ出力およびカラーの出力のいずれでも塗潰しが反映されるようにする必要がある。これに対応するためには、設定画面ＳＰＰ（図８）で、モノクロ画像の複製は、「禁止」を指定すればよい。
【実施例２】
【００８２】
図１８に、第２実施例の複合機能複写機Ａ１の画像データ処理装置２の機能構成を示す。第２実施例では、秘匿処理２ｃを出力画像データ処理２ｄの直前に配置している。図１９に、第２実施例の「コピー」（１０）の内容を示す。原稿画像の読取りとメインメモリ７への書込みおよび第１枚目の印刷の制御は、図９に示す第１実施例と同様である（Ｓ８〜Ｓ１０，図１１のＡ１，Ａ２）。この読取りを行っている間に地紋検出処理２ｂが特定画像と認識した場合は、地紋検出処理２ｂは、特定画像との認識が成立したことを表す認識成立情報を、メモリ制御装置４に与え、メモリ制御装置４が、この認識成立情報を内部メモリ（レジスタ）に保持するとともに、秘匿処理２ｃに秘匿処理を設定する。すなわち、図１０に示す秘匿処理Ｓ１１と同様に、操作パネル６でユーザが設定した、モノクロ画像の複製は、「禁止」／「許可」に応じて、「禁止」であると、秘匿処理２ｃに「Ｇ画像データの塗潰し」を設定し、「許可」であると「Ｒ画像データの塗潰し」を設定する。図１８に示す秘匿処理２ｃは、この設定に対応して、設定された読取り色画像データ（Ｇ又はＲ画像データ）を塗潰しレベルに変換する。色補正２７は、カラーモードの印刷設定の場合には秘匿処理２ｃが出力する第２ＲＧＢ画像データをＹＭＣＫ画像データに変換するが、モノクロモードの印刷設定又はファクシミリ受信出力の場合には、Ｇ画像データ又はファクシミリ受信画像データをＫ画像データとする。
【００８３】
１原稿の読取りを終えると、すなわち該原稿の第１ＲＧＢ画像データをメインメモリ７に格納し終えると、ＣＰＵ５は、メモリ制御装置４を介して、メインメモリ７の第１ＲＧＢ画像データをそのまま圧縮してＨＤＤ８に格納する（Ｓ１２）。このとき、１原稿宛の画像ファイルの属性情報に、認識成立情報の有無（秘匿処理の要否）情報を加える。
【００８４】
複数枚の原稿の連続読取りの場合には、各原稿に対して、画像読取りＳ８〜ＨＤＤ８への格納Ｓ１２を行う。リピート印刷が必要（１原稿に付き複数枚の印刷指定）であると、ＨＤＤ８から、各原稿の画像データを１原稿ごとに読み出して伸張してメインメモリ７に展開してから出力画像データ処理２ｄに出力する（図２０のＡ４）。その直前に、メモリ制御装置４は、ＨＤＤ８上の該原稿の画像ファイルの属性情報の中の秘匿処理の要否情報を参照して、「要」である場合に、モノクロ画像の複製は、「禁止」／「許可」、の設定を参照して、「禁止」であると秘匿処理２ｃに「Ｇ画像データの塗潰し」を設定し、「許可」であると秘匿処理２ｃに「Ｒ画像データの塗潰し」を設定する（Ｓ１０，Ｓ１１）。ＨＤＤ８からメインメモリ７を介して出力される画像データは塗潰し（秘匿処理）のない第１ＲＧＢ画像データであるが、出力画像データ処理２ｄに与えられる直前に、秘匿処理２ｃ（図１８）によって、特定画像の第１ＲＧＢ画像データのＧ又はＲ画像データが塗潰しレベルに変換される。
【００８５】
原稿画像の一枚目および２枚目以降の印刷（Ｓ１６）のいずれにおいても、秘匿情報の付加が指定されている場合には、出力画像データ処理２ｄの地紋合成３１（図４）が、文字領域の検出および非文字領域の検出を行って、地肌領域（文字領域および非文字領域の外領域）の画像データに地紋画像を合成する（Ｓ１４，Ｓ１５）。
【００８６】
ＨＤＤ８の画像データを外部に送出するときにもメモリ制御装置４は、ＨＤＤ８上の外部に送出する画像ファイルの属性情報の中の秘匿処理の要否情報を参照して、「要」である場合には、モノクロ画像の複製は、「禁止」／「許可」、の設定を参照して、「禁止」であると秘匿処理２ｃに「Ｇ画像データの塗潰し」を設定し、「許可」であると秘匿処理２ｃに「Ｒ画像データの塗潰し」を設定する（Ｓ１０，Ｓ１１）。そしてバス制御装置３を介して、ＨＤＤ８からメインメモリ７を介して出力される画像データを秘匿処理２ｃを通してから、外部入出力コントローラ９を介して外部に送出する（図２０のＡ６）。秘匿処理の要否情報が「否」である場合には、ＨＤＤ８からメインメモリ７を介して出力される画像データを、メインメモリ７から直接に外部入出力コントローラ９を介して外部に送出する。
【００８７】
なお、複写機Ａ１で印刷する場合には画像に秘匿処理を加えるが、外部には、秘匿処理を加えない画像データを、秘匿処理の要否情報とともに送出する態様（図２１のＡ７）もある。また、外部には、送信先の属性（デバイスの種類：画像処理種）に対応して、塗潰しを加えて送出する態様（図２０のＡ６）と秘匿処理を加えないで送出する態様（図２１のＡ７）とを切り換える態様もある。第２実施例のその他のハードウエア又は機能は、第１実施例のものと同様である。
【図面の簡単な説明】
【００８８】
【図１】本発明の第１実施例である複合機能フルカラー複写機Ａ１の外観を示す正面図である。
【図２】図１に示す複写機Ａ１の画像処理系統のシステム構成を示すブロック図である。
【図３】図１に示す複写機Ａ１の、システムコントローラＳＹＣおよび図示を省略したプロセスコントローラ、ならびに、作像機器，回路（デバイス）の動作に用いるプログラム（ソフトウエア）の概要を示すブロック図である。
【図４】図２に示す画像データ処理装置２の機能構成の概要を示すブロック図である。
【図５】図４に示す地紋検出処理２ｂの機能構成の概要を示すブロック図である。
【図６】図１に示す操作ボード６の一部を示す拡大平面図である。
【図７】図２に示すＣＰＵ５の、ＲＯＭに格納されＲＡＭに展開されたプログラムに基く、制御の概要を示すフローチャートである。
【図８】初期設定メニューにある「秘匿処理の設定」をユーザが指定したときにディスプレイ７９に表示される入力画面ＳＰＰを示す平面図である。
【図９】図７に示す「コピー」１０の内容を示すフローチャートである。
【図１０】図９に示す「秘匿処理」Ｓ１１の内容を示すフローチャートである。
【図１１】図２に示す画像処理システムにおける、原稿読取り時の、特定画像と識別されない場合の、画像データの流れを示すブロック図である。
【図１２】図２に示す画像処理システムにおける、原稿読取りを終了し、読み取った画像データをＨＤＤ８に格納した後の、ＨＤＤ８から画像データを読み出して印刷するときの、画像データの流れを示すブロック図である。
【図１３】図２に示す画像処理システムにおける、原稿読取り時の、特定画像との識別があった場合の、画像データの流れを示すブロック図である。
【図１４】特定画像との識別があった原稿読取りを終了し、読み取った画像データをＨＤＤ８に格納した後の、ＨＤＤ８から画像データを読み出して印刷するときの、画像データの流れを示すブロック図である。
【図１５】印刷時の色材色を表すＣＭＹＫ画像データのそれぞれに対して、カラーモードで原稿画像を表すＲＧＢ画像データのそれぞれがどのように影響するかを示すブロック図である。
【図１６】モノクロモードおよびファクシミリ送受信における、読取り原稿画像を表すＲＧＢ画像データと、印刷時の色材色を表すＣＭＹＫ画像データとの関係を示すブロック図である。
【図１７】モノクロモードおよびファクシミリ送受信における、画像塗潰しの場合の読取り原稿画像を表すＲＧＢ画像データと、印刷時の色材色を表すＣＭＹＫ画像データとの関係を示すブロック図である。
【図１８】第２実施例の複写機の画像データ処理装置２の構成を示すブロック図である。
【図１９】第２実施例の複写機のＣＰＵ５による「コピー」制御の概要を示すフローチャートである。
【図２０】図１８に示す画像処理システムにおける、原稿読取りを終了し、読み取った画像データをＨＤＤ８に格納した後の、ＨＤＤ８から画像データを読み出して印刷するときの、画像データの流れを示すブロック図であり、外部に送出する場合の第１態様のデータの流れを点線矢印Ａ６で示す。
【図２１】図１８に示す画像処理システムにおける、原稿読取りを終了し、読み取った画像データをＨＤＤ８に格納した後の、ＨＤＤ８から画像データを読み出して印刷するときの、画像データの流れを示すブロック図であり、外部に送出する場合の第２態様のデータの流れを点線矢印Ａ７で示す。
【符号の説明】
【００８９】
１０：カラー原稿スキャナ  ２０：操作ボード
３０：自動原稿供給装置    ３４：フィニッシャ
１００：カラープリンタ    ＰＣ：パソコン
ＰＢ×：交換器            ＰＮ：通信回線
【図１】
2010062602.tif 000003
【図２】
2010062602.tif 000004
【図３】
2010062602.tif 000005
【図４】
2010062602.tif 000006
【図５】
2010062602.tif 000007
【図６】
2010062602.tif 000008
【図７】
2010062602.tif 000009
【図８】
2010062602.tif 000010
【図９】
2010062602.tif 000011
【図１０】
2010062602.tif 000012
【図１１】
2010062602.tif 000013
【図１２】
2010062602.tif 000014
【図１３】
2010062602.tif 000015
【図１４】
2010062602.tif 000016
【図１５】
2010062602.tif 000017
【図１６】
2010062602.tif 000018
【図１７】
2010062602.tif 000019
【図１８】
2010062602.tif 000020
【図１９】
2010062602.tif 000021
【図２０】
2010062602.tif 000022
【図２１】
2010062602.tif 000023